(57)【要約】【課題】  大型引戸の框枠に窓開口枠からの気密材を密着させてその気密性を確保しながらも人手でスムーズな開閉をなし得るようにする。【解決手段】  長手方向端部を留接合して一連に連通する密封中空部４４を有する気密材４を窓開口部２に設置するとともにその嵌合基部４１から密封中空部４４に吸引パイプ５を挿入して，スイッチ６の操作で作動する真空吸引装置７によって吸引パイプ５を介した気密材４のエア吸引とエア供給を行う。エア吸引によって気密材４が框枠から離隔して引戸３の開閉が可能となる一方，エア供給によって気密材４が弾発的に膨出して框枠に密着して引戸３の気密性を確保する。真空吸引装置７のタイマー７５がエア吸引後に所定時間引戸３開閉可能状態を維持するとともに圧力スイッチ７６がその間のエア漏れによる気密材４の膨出を防止する。【選択図】  図３
2008308929.tif 000002
【特許請求の範囲】
【請求項１】
上枠，下枠，これらの間の縦枠乃至方立によって区画形成した窓開口枠に横引開閉自在に配置した上下左右の框を框組みした引戸と，該框組みした引戸の框枠に弾発的に密着するように窓開口枠の気密材受溝に嵌合配置して該窓開口枠と引戸の框枠間に介設して窓開口枠のコーナー部位を含めて矩形一体にして一連に連通する密封中空部を有する密封気密材と，該密封気密材の長手方向中間位置にその密封中空部に連通するように一端を接続した吸引パイプと，該吸引パイプを介した密封中空部のエア吸引によって収縮して該密封気密材を引戸の框枠から離隔し且つエア吸引の停止によるエア供給によって弾発的に膨出して密封気密材を框枠に密着するように上記吸引パイプの他端に接続して配置した真空吸引装置と，該真空吸引装置のエア吸引及びその停止を操作する操作スイッチとを備えてなることを特徴とする大型引戸装置。
【請求項２】
上記密封気密材を，上記窓開口枠の気密材受溝に嵌合した嵌合基部から引戸の框枠に向けて拡開するように突出配置した両側一対の拡開傾斜壁と，該拡開傾斜壁の突出方向先端を連結する引戸の框枠側に向けて膨出して該框枠に面接する膨出面接壁とを備えて，上記嵌合基部を頂点として引戸の框枠側に向けて断面略三角形状に形成してなることを特徴とする請求項１に記載の大型引戸装置。
【請求項３】
上記吸引パイプにおける密封気密材側先端を，その外周方向部分的に開口した対向開口部を備えて形成し，上記密封気密材に対する吸引パイプの接続を，該先端を密封中空部内に挿入し且つ上記対向開口部を密封気密材の長手方向に向けて配置してなることを特徴とする請求項１又は２に記載の大型引戸装置。
【請求項４】
上記真空吸引装置を，上記操作スイッチによって作動するエア吸引用電磁弁，エア供給用電磁弁及び真空ポンプを備えて形成するとともにエア供給用電磁弁にエアフィルターを配置してなることを特徴とする請求項１，２又は３に記載の大型引戸装置。
【請求項５】
上記真空吸引装置が，操作スイッチによるエア吸引によって作動し，設定時間経過後に該エア吸引を停止してエア供給を開始するタイマーを備えてなることを特徴とする請求項１，２，３又は４に記載の大型引戸装置。
【請求項６】
上記真空吸引装置が，吸引パイプの内圧を検出することによってエア吸引を開始する圧力スイッチを備えてなることを特徴とする請求項５に記載の大型引戸装置。
【発明の詳細な説明】
【技術分野】
【０００１】
本発明は，例えばＲＣ構造等の建築物における天井と床面間に幅広の引戸を配置する如くに形成することによって，大型の引戸を有する大型引戸装置に関する。
【背景技術】
【０００２】
この種の引戸装置として，上枠，下枠，これらの間の縦枠乃至方立によって区画形成した窓開口枠に横引開閉自在に配置した上下左右の框を框組みした引戸と，該框組みした引戸の框枠に弾発的に密着するように窓開口枠の気密材受溝に嵌合配置して該窓開口枠と引戸の框枠間に介設した気密材とを備えたものが一般に用いられており，この場合，上記気密材は，引戸の閉成後に，例えばクレセントを施錠して引戸を窓開口枠に引寄せることによって線接触状に密着するものとされ，引戸の開成は，クレセントを開錠して引戸の引寄せを解除するとともに気密材の線接触状の密着を解除することによって行うものとされており，また気密材は，長尺のものを，窓開口枠の上枠，下枠，これらの間の端部縦枠乃至連窓方立毎にその長さに合せて切断して，窓開口枠の気密材受溝にその室内側の嵌合基部を嵌合し，それぞれその引戸の框枠側に向けて突出配置したものとされている。
【０００３】
【特許文献１】特開２００５−４８５８７号公報
【発明の開示】
【発明が解決しようとする課題】
【０００４】
例えばセミナー施設，会議場施設，宿泊施設等の如くに，高原，観光地，都市等に設置される建築物の躯体に可及的に大きな開口を配置するとともに人の出入りや外気の導入のために，例えば，該開口のデザインを損なわないように，天井と床面間に幅広の引戸を配置した大開口の窓構造として，その一部乃至全部に形成した窓開口枠に大型の引戸を配置したものが求められる。この場合，該大型引戸は，例えば上記天井と床面間の高さ寸法を２．８ｍ，横幅を数ｍの広面積のものとすることが想定されるところ，このような広面積の大型引戸を有する窓構造とした場合，上記開口枠と引戸の框枠間に気密材を介設して引戸の気密性を確保するようにすると，大型の引戸は，その重量が嵩むために，クレセントの施錠によって該引戸を引寄せて，窓開口枠の気密材を該框枠に弾発的に密着させて気密性を充分に確保するには困難が予想され，また仮にクレセントの施錠によって該引戸の引寄せとこれによる気密性の確保をなし得たとしても，該クレセントの解錠によって気密材の密着を解除した際，現実には気密材が引戸の框枠から充分に離隔するとは限らず，引戸の框枠に気密材が接触した状態となる可能性があり，この場合，引戸の開閉に際して，該気密材の接触による摩擦抵抗，特に引戸開閉方向に沿う窓開口枠の上枠及び下枠に対する気密材の接触による摩擦抵抗が過大となり，該摩擦抵抗によって引戸の開閉が著しく重くなって，例えば人手で引戸の開閉を行うことができなくなるとともに無理な開閉を行えば気密材を損傷して窓開口枠との間で気密性を確保し得なくなる可能性がある。
【０００５】
本発明はかかる事情に鑑みてなされたもので，その解決課題とするところは，この種大型の引戸の高度な気密性を確保するとともに該引戸の開閉をその重量に応じた開閉力を付与することによって，人手でもスムーズ且つ確実になし得るようにした大型引戸装置を提供するにある。
【課題を解決するための手段】
【０００６】
上記課題に沿って本発明は，窓開口枠と引戸の框枠間に介設した気密材を，矩形一体にしてコーナー部位を含めて一連に連通する密封中空部を有する密封気密材として窓開口枠に配置する一方，該密封気密材を吸引パイプによって真空吸引装置に接続して，密封気密材と該真空吸引装置間にエア吸引供給系を形成し，引戸の開閉に際して，操作スイッチによって該真空吸引装置を作動させることにより，上記密封気密材の密封中空部からそのエアを吸引し該密封気密材を収縮，例えば圧潰状，折畳み状等に収縮することによって密封気密材を引戸の框枠から室内側に向けて離隔し，また引戸の閉成後には，逆に密封中空部に対してエアを供給し該密封気密材を弾発的に室外側に膨出することによって引戸の框枠に密着するようにし，これによって引戸の框枠に対する密封気密材の密着による摩擦抵抗を解消して人手による引戸のスムーズ且つ確実な開閉を可能とするとともに引戸の閉成状態の高度な気密性の確保を可能として，該開閉と気密性確保の双方を同時に実現可能としたものであって，即ち請求項１に記載の発明を，上枠，下枠，これらの間の縦枠乃至方立によって区画形成した窓開口枠に横引開閉自在に配置した上下左右の框を框組みした引戸と，該框組みした引戸の框枠に弾発的に密着するように窓開口枠の気密材受溝に嵌合配置して該窓開口枠と引戸の框枠間に介設して窓開口枠のコーナー部位を含めて矩形一体にして一連に連通する密封中空部を有する密封気密材と，該密封気密材の長手方向中間位置にその密封中空部に連通するように一端を接続した吸引パイプと，該吸引パイプを介した密封中空部のエア吸引によって収縮して該密封気密材を引戸の框枠から離隔し且つエア吸引の停止によるエア供給によって弾発的に膨出して密封気密材を框枠に密着するように上記吸引パイプの他端に接続して配置した真空吸引装置と，該真空吸引装置のエア吸引及びその停止を操作する操作スイッチとを備えてなることを特徴とする大型引戸装置としたものである。
【０００７】
請求項２に記載の発明は，上記に加えて，大型引戸の広面積をカバーする長尺の密封気密材のエア吸引による収縮とこれによる引戸の框枠からの離隔及びエア供給による弾発的な膨出とこれによる引戸の框枠への密着を，該密封気密材の断面形状の設定によって可及的簡易且つ確実になし得るものとするように，これを，上記密封気密材を，上記窓開口枠の気密材受溝に嵌合した嵌合基部から引戸の框枠に向けて拡開するように突出配置した両側一対の拡開傾斜壁と，該拡開傾斜壁の突出方向先端を連結する引戸の框枠側に向けて膨出して該框枠に面接する膨出面接壁とを備えて，上記嵌合基部を頂点として引戸の框枠側に向けて断面略三角形状に形成してなることを特徴とする請求項１に記載の大型引戸装置としたものである。
【０００８】
請求項３に記載の発明は，同じく上記に加えて，大型引戸の広面積をカバーする長尺の密封気密材に対して可及的確実且つ均一なエア吸引とエア供給とを行って，吸引パイプのエア吸引口に密封気密材が吸着されることによるエア吸引の不良やこれによる密封気密材の離隔不良等を解消して，常に密封気密材の密封中空部に対するエア吸引とこれによる密封気密材の収縮をその長手方向全長に亘ってスムーズ且つ確実に行うものとするように，これを，上記吸引パイプにおける密封気密材側先端を，その外周方向部分的に開口した対向開口部を備えて形成し，上記密封気密材に対する吸引パイプの接続を，該先端を密封中空部内に挿入し且つ上記対向開口部を密封気密材の長手方向に向けて配置してなることを特徴とする請求項１又は２に記載の大型引戸装置としたものである。
【０００９】
請求項４に記載の発明は，同じく上記に加えて，真空吸引装置を，可及的簡易な構造にして確実な作動を行って，密封気密材に対するエア吸引とエア供給の長期に亘る耐久性を備えたものとするように，これを，上記真空吸引装置を，上記操作スイッチによって作動するエア吸引用電磁弁，エア供給用電磁弁及び真空ポンプを備えて形成するとともにエア供給用電磁弁にエアフィルターを配置してなることを特徴とする請求項１，２又は３に記載の大型引戸装置としたものである。
【００１０】
請求項５に記載の発明は，同じく上記に加えて，設定時間に応じて密封気密材の収縮状態を継続して，この間の引戸の開閉を自在に維持することによって使い勝手を良好としたものとするように，これを，上記真空吸引装置が，操作スイッチによるエア吸引によって作動し，設定時間経過後に該エア吸引を停止してエア供給を開始するタイマーを備えてなることを特徴とする請求項１，２，３又は４に記載の大型引戸装置としたものである。
【００１１】
請求項６に記載の発明は，同じく上記に加えて，上記タイマーを設置してエア吸引するも，真空吸引装置，吸引パイプ，これらの接続部等から微量なエア漏れが生じて，タイマーの設定時間によっては，密封気密材が膨出して，引戸の開閉を阻害する可能性が残ることから，真空吸引装置が，タイマー設定時間中の吸引パイプ，即ち密封気密材の内圧を検出して，該内圧が所定圧を超えたときに真空吸引装置を作動させることによって，タイマー設定時間中に密封気密材を常に収縮状態に維持するものとするように，これを，上記真空吸引装置が，吸引パイプの内圧を検出することによってエア吸引を開始する圧力スイッチを備えてなることを特徴とする請求項５に記載の大型引戸装置としたものである。
【００１２】
本発明はこれらをそれぞれ発明の要旨として，上記課題解決の手段としたものである。
【発明の効果】
【００１３】
本発明は以上のとおりに構成したから，請求項１に記載の発明は，窓開口枠と引戸の框枠間に介設した気密材を，矩形一体にしてコーナー部位を含めて一連に連通する密封中空部を有する密封気密材として窓開口枠に配置する一方，該密封気密材を吸引パイプによって真空吸引装置に接続して，密封気密材と該真空吸引装置間にエア吸引供給系を形成し，引戸の開閉に際して，操作スイッチによって該真空吸引装置を作動させることにより，上記密封気密材の密封中空部からそのエアを吸引し該密封気密材を収縮，例えば圧潰し又は折畳む如くに収縮することによって密封気密材を引戸の框枠から室内側に向けて離隔し，また引戸の閉成後には，逆に密封中空部に対してエアを供給し該密封気密材を弾発的に室外側に膨出することによって引戸の框枠に密着するようにし，これによって引戸の框枠に対する密封気密材の密着による摩擦抵抗を解消して人手による引戸のスムーズ且つ確実な開閉を可能とするとともに引戸の閉成状態の高度な気密性の確保を可能として，該開閉と気密性確保の双方を同時に実現可能とした大型引戸装置を提供することができる。
【００１４】
請求項２に記載の発明は，上記に加えて，大型引戸の広面積をカバーする長尺の密封気密材のエア吸引による収縮とこれによる引戸の框枠からの離隔及びエア供給による弾発的な膨出とこれによる引戸の框枠への密着を，該密封気密材の断面形状の設定によって可及的簡易且つ確実に行うものとすることができる。
【００１５】
請求項３に記載の発明は，同じく上記に加えて，大型引戸の広面積をカバーする長尺の密封気密材に対して可及的確実且つ均一なエア吸引とエア供給とを行って，吸引パイプのエア吸引口に密封気密材が吸着されることによるエア吸引の不良やこれによる密封気密材の離隔不良等を解消して，常に密封気密材の密封中空部に対するエア吸引とこれによる密封気密材の収縮をその長手方向全長に亘ってスムーズ且つ確実に行うものとすることができる。
【００１６】
請求項４に記載の発明は，同じく上記に加えて，真空吸引装置を，可及的簡易な構造にして確実な作動を行って，密封気密材に対するエア吸引とエア供給の長期に亘る耐久性を備えたものとすることができる。
【００１７】
請求項５に記載の発明は，同じく上記に加えて，設定時間に応じて密封気密材の収縮状態を継続して，この間の引戸の開閉を自在に維持することによって使い勝手を良好としたものとすることができる。
【００１８】
請求項６に記載の発明は，同じく上記に加えて，上記タイマーを設置してエア吸引するも，真空吸引装置，吸引パイプ，これらの接続部等から微量なエア漏れが生じて，タイマーの設定時間によっては，密封気密材が膨出して，引戸の開閉を阻害する可能性が残ることから，真空吸引装置が，タイマー設定時間中の吸引パイプ，即ち密封気密材の内圧を検出して，該内圧が所定圧を超えたときに真空吸引装置を作動させることによって，タイマー設定時間中に密封気密材を常に収縮状態に維持するものとすることができる。
【発明を実施するための最良の形態】
【００１９】
以下図面の例に従って本発明を更に具体的に説明すれば，Ａは大型引戸装置であり，該大型引戸装置Ａは，上枠２１，下枠２２，これらの間の縦枠乃至方立２３によって区画形成した窓開口枠２に横引開閉自在に配置した上下左右の框３１，３２，３３を框組みした引戸３と，該框組みした引戸３の框枠に弾発的に密着するように窓開口枠２の気密材受溝２４に嵌合配置して該窓開口枠２と引戸３の框枠間に介設して窓開口枠２のコーナー部位を含めて矩形一体にして一連に連通する密封中空部４４を有する密封気密材４と，該密封気密材４の長手方向中間位置にその密封中空部４４に連通するように一端を接続した吸引パイプ５と，該吸引パイプ５を介した密封中空部４４のエア吸引によって収縮して該密封気密材４を引戸３の框枠から離隔し且つエア吸引の停止によるエア供給によって弾発的に膨出して密封気密材４を框枠に密着するように上記吸引パイプ５の他端に接続して配置した真空吸引装置７と，該真空吸引装置７のエア吸引及びその停止を操作する操作スイッチ６とを備えたものとしてある。
【００２０】
大型引戸装置Ａは，例えばＲＣ構造建築物の躯体における柱間及び天井と床面間の大開口に，例えば嵌殺し部１とその間の適宜位置に，例えば高さを２．８ｍ程度，横幅を４ｍ程度とするように広面積テラスタイプとした大型の引戸３を適宜に配置して，該引戸３を嵌殺し部１の室内側を戸袋としてこれに重合収納するように，該嵌殺し部１の窓枠と一体又は別体にその室内側に配置した上記上枠２１，下枠２２，左右の縦枠又は方立２３によって区画形成した窓開口枠２に片引き又は引き分けの横引き開閉を行うように開閉自在に配置したものとしてあり，このとき該建築物はその室外側に床面と面一なデッキを配置し，引戸３を開閉して該デッキに出入りできるようにしてある。
【００２１】
大型の引戸３は，例えば断熱空間を２重に３枚のガラスパネルを配置することによって見込み幅を厚くした，例えば８〜９ｃｍ程度の見込み幅を有する上下を上記４ｍ程度とし，左右を２．８ｍ程度とした厚肉アルミ押出材による上框３１，下框３２，左右の縦框３３を框組みすることによって框枠を形成したアルミ製のものとしてあり，窓開口枠２の上枠２１に形成した溝レールに上框３１を，下枠２２に形成した突出レールに下框の戸車３２１を案内することによって左右の縦枠又は方立２３の間でその上記片引き又は引き分けの横引開閉を行うようにしてある。
【００２２】
框枠をなす上框３１，下框３２及び左右の縦框３３は，それぞれ室内側に面外方向外周端部を同一面に位置するように，框の室内側側面を用いて又は別体の気密材受材を後付固定することによってそれぞれ垂直且つ平坦にして幅広一連の気密材対接面を備えており，該気密材対接面に上記窓開口枠２の密封気密材４を面接することによってその面外方向外周端部において引戸３閉成時の高度な気密性を確保するものとしてある。
【００２３】
密封気密材４は，常法に従ってその嵌合基部４１を窓開口枠２の上枠２１，下枠２２，左右の縦枠又は方立２３に形成した気密材受溝２４に嵌合して該窓開口枠２から上記框枠に面接するように突設してあり，このとき該気密材受溝２４は，窓開口枠２の同じく面外方向外周端部に同一面に位置するように，上枠２１及び縦枠２３のように室外側側面を室内側に一体に凹陥し，下枠２２のように一対の突条を一体に突出し又は別体の受溝部材を後付固定することによって同様に一連に配置してある。
【００２４】
密封気密材４は，ゴム，合成樹脂等を使用できるが，本例にあってエア吸引による収縮とエア供給による弾発的な膨出を繰り返すものとして，弾性と耐久性に優れた合成樹脂製のもの，例えばシリコンゴムを用いて一体成形したものとしてあり，本例にあっては該シリコンゴムに，ヒレ付きの半硬質樹脂による嵌合基部４１を同時成形し，上記弾性と耐久性を確保するともに嵌合基部４１の気密材受溝２４への確実な嵌合とその抜け止めをなし得るようにしてある。
【００２５】
本例にあって密封気密材４は，これを，上記窓開口枠の気密材受溝２４に嵌合した嵌合基部４１から引戸３の框枠に向けて拡開するように突出配置した両側一対の拡開傾斜壁４２と，該拡開傾斜壁４２の突出方向先端を連結する引戸３の框枠側に向けて膨出して該框枠に面接する膨出面接壁４３とを備えて，上記嵌合基部４１を頂点として引戸３の框枠側に向けて断面略三角形状に形成したものを用いてある。即ち本例の密封気密材４は，例えば２〜３ｍｍの肉厚にして引戸の框枠側への突出幅を１．５ｃｍ程度とした両側一対の拡開傾斜壁４２と，同じく２〜３ｍｍの膨出幅にして拡開傾斜壁４２間の面接幅を２．５〜３ｃｍ程度とした突出方向先端の膨出面接壁４３とを備えて，内側に同じく略三角形状の密封中空部４４を備えたものとしてある。
【００２６】
該密封気密材４は，窓開口枠２の上記一連の気密材受溝２４に対して同じく一連に配置してあり，該一連の配置は，例えば，窓開口枠２の上枠２１，下枠２２及び縦枠又は方立２３の長さに切断した長尺の気密材を，その長手方向両端をそれぞれ４５度の角度に留切りし，該留切り端部を突き合せて，例えば溶着や接着の一体化措置を施して留接合することによって，窓開口枠２の矩形の気密材受溝２４と同一形状をなす矩形フレーム状として，上記気密材受溝２４に嵌合基部４１を嵌合してその配置を行ってあり，これによって密封気密材４がコーナー部位を含めて矩形一体にして一連に連通する密封中空部４４を形成し，上記真空吸引装置によるエア吸引の収縮とエア供給による膨出をなし得るようにしてある。
【００２７】
吸引パイプ５は，例えば断面円形の金属乃至硬質樹脂パイプを用いて，上記密封気密材４の嵌合基部４１に形成した透孔から，その先端を該密封気密材４の上記密封中空部４４内に挿入して密封気密材４に対する吸引パイプ５の接続を行ってあり，このとき本例の吸引パイプ５は，その密封気密材４側先端を，その外周方向部分的に開口した対向開口部４１を備えて形成し，密封気密材４に挿入した吸引パイプ５の該対向開口部を密封気密材５の長手方向に向けて配置したものとしてある。
【００２８】
即ち本例にあって吸引パイプ５の挿入を，密封気密材４の嵌合基部４１を貫通するように行うことによって，該嵌合基部４１の弾発的な挿入を行うとともに必要に応じてシール措置を施すことによって，該挿入を高気密にして確実に行うようにしてあり，該吸引パイプ５が揺動したり抜けたりして気密性が損なわれるのを防止してある。
【００２９】
本例にあって，上記真空吸引装置７は，これを，上記操作スイッチ６によって作動するエア供給用電磁弁７１，エア吸引用電磁弁７２及び真空ポンプ７４を備えて形成するとともにエア供給用電磁弁７１にエアフィルター７３を配置したものとしてある。このとき真空吸引装置７は，密封気密材４に接続した吸引パイプ５の長手方向に，エア供給用電磁弁７１，エア吸引用電磁弁７２，真空ポンプ７４を配置するとともにエア供給用電磁弁７１にエアフィルター７３を接続することによって一連のエア吸引供給系をなすようにしてある。このとき本例にあって，これら電磁弁７１，７２，真空ポンプ７４等は，吸引パイプ５の密封気密材４への接続側を外部に突出する以外，ボックス７８内に一括収納したボックス７８収容の真空吸引ユニットとしてあり，例えばこれを床下の所定箇所に据置き設置して密封気密材４の上記収縮と膨出をコントロールし得るようにしてあり，一方該真空吸引装置７を操作する操作スイッチ６は，例えば引戸３の開成と閉成に応じた表示を有する開ボタン６１，閉ボタン６２のスイッチボタンとこれに応じた開閉状態の表示ランプ６３を備えたものとして，例えば壁面や嵌殺し部１等の操作位置に埋込乃至添設設置してある。
【００３０】
このとき本例の真空吸引装置７は，更に，操作スイッチ６によるエア吸引によって作動し，設定時間経過後にエア供給を開始するタイマー７５を備え，また吸引パイプ５の内圧を検出することによってエア吸引を開始する圧力スイッチ７６を備えたものとしてあり，本例にあってこれらタイマー７５，圧力スイッチ７６も上記と同様にボックス７８内に収納して，上記真空吸引ユニットをなすものとしてある。
【００３１】
即ち，該真空吸引装置７は，引戸３を閉成した状態で，図１０に示すように，エア供給用及びエア吸引用の電磁弁７１，７２が開放した状態となっているところ，引戸３を開閉するために，操作スイッチ６の開ボタン６１を押圧すると，図７に示すように，吸引パイプ５の密封気密材４側に位置するエア供給用電磁弁７１が開放のままとなる一方，エア吸引用電磁弁７２が閉鎖するとともに真空ポンプ７４が作動し，上記エア吸引供給系をエア吸引系として，矢印方向に向けたエアの流れを形成し，吸引パイプ５を介して密封気密材４の密封中空部４４からそのエアを真空吸引し，該密封気密材４を弾発的に収縮することによってこれを引戸３の框枠から離隔して，引戸３の框枠をフリーとすることによって該引戸３を開閉可能の状態とする。
【００３２】
また操作スイッチ６の閉ボタン６２を押圧すると，図９に示すように，エア供給用電磁弁７１が閉鎖するとともにエア吸引用電磁弁７２が開放して，真空ポンプ７４が停止し，上記エア吸引供給系をエア供給系として，吸引パイプ５を介して，減圧状態にある密封気密材４の密封中空部４４に，矢印方向に向けたエアの流れを形成し，エアフィルター７３からエア供給用電磁弁７１を経由してエアを供給して，該密封気密材４を弾発的に膨出するとともにこれを引戸３の框枠に密着して，窓開口枠２と該引戸３の框枠間を密封して引戸３の気密性を確保し，また該密着による開閉の摩擦抵抗によって引戸３の開閉を不能として引戸３の閉成状態を維持する。
【００３３】
また本例にあってタイマー７５は，上記開ボタン６１の押圧によって作動して，予め設定した，例えば２〜３時間の設定時間を経過した状態で，上記エア供給用電磁弁７１を閉鎖して，エア吸引供給系をエア供給系として，上記エアフィルター７３からエア供給用電磁弁７１を経由してエアを供給し，閉ボタン６２の操作なく，該密封気密材４を弾発的に膨出して引戸３の框枠に密着し，上記引戸３の閉成状態を維持するものとされる。
【００３４】
一方圧力スイッチ７６は，密封気密材４とエア供給電磁弁７１間の吸引パイプ５に配置し，該圧力スイッチ７６が該吸引パイプ５，即ち密封気密材４における密封中空部４４の内圧が，予め設定した下限値に至った場合にこれを検出して，上記開ボタン６１の押圧と同様に，エア吸引供給系をエア吸引系として，真空ポンプ７４によるエア吸引を開始するものとしてある。
【００３５】
即ち開ボタン６１の操作によって密封気密材４の真空吸引を行ってこれを収縮すると，真空ポンプ７４が停止する一方，上記タイマー７５を作動して，この収縮による引戸３の開閉可能の状態を長時間に亘って維持すると，時間の経過とともに，例えば図８に維持状態を示すように，エア吸引系に矢印方向に向けた極く微量なエア漏れが生じて，密封気密材４にエアが供給される結果，密封気密材４の収縮が次第に損なわれてこれが膨出し，場合によって密封気密材４が引戸３の框枠に接触するようになり，開閉可能の状態に維持しながらも引戸３の開閉が不能になるに至るという可能性が残るところ，上記圧力スイッチ７６が内圧の下限値に至った状態，即ち真空吸引によって収縮した密封気密材４が僅かに膨出し又は引戸３の框枠に接触するといった，開閉可能の状態を阻害する内圧になったときに，該内圧を検出し，エア吸引系にある真空吸引装置７の真空ポンプ７４を作動することによって，その時点で改めて密封気密材４のエア吸引を行い，引戸３の開閉可能の状態を維持するようにしてある。
【００３６】
図中６４は操作スイッチのリード線，７７は真空吸引装置７の制御板，８はブラインド乃至網戸，８１はそのガイドレール，８２はその巻取軸を示す。
【００３７】
以上のように構成した本例の大型引戸装置Ａは，操作スイッチ６によって真空吸引装置７を作動させることにより，上記密封気密材４の密封中空部４４からそのエアを吸引し該密封気密材４を収縮することによって密封気密材４を引戸３の框枠から室内側に向けて離隔し，また引戸３の閉成後には，逆に密封中空部４４に対してエアを供給し該密封気密材４を弾発的に室外側に膨出することによって引戸３の框枠に密着するようにし，これによって引戸３の框枠に対する密封気密材４の摩擦抵抗を解消して，引戸３のスムーズ且つ確実な開閉と引戸３の閉成状態の高度な気密性の確保との双方を同時に実現したものとすることができる。
【００３８】
このとき本例の密封気密材４は，上記断面略三角形状として，その膨出面接壁４３を框枠に面接するようにしたから，引戸３の閉成時に極めて高度な気密性を確保することができるとともにエア吸引によって，両側一対の拡開傾斜壁４２間に膨出面接壁４３を受け入れ，該両側一対の拡開傾斜壁４２の間隔を狭めて潰すようにして該密封気密材の収縮を行うために，該密封気密材４を上框３１，下框３２及び縦框３３の框枠からスムーズ且つ確実に離隔することができ，またエア供給によって逆に膨出して該框枠に確実に密着するものとすることができる。また吸引パイプ５は，その先端に部分的な対向開口部５１を備え，該対向開口部５１を密封気密材４の長手方向に向けて配置したことによって，真空ポンプ７４の作動による吸引に際して，吸引パイプ５の吸引口が膨出面接壁４３を強吸着して該吸引口が塞がれることによる吸引不良やこれによる密封気密材４の収縮不良を招くこともなく，常にエア吸引による収縮とエア供給による膨出とを確実に行うことができる。
【００３９】
更に真空吸引装置７は，可及的簡易な構造にして確実な作動を行って，密封気密材４に対するエア吸引とエア供給の長期に亘る耐久性を備えたものとなし得る上，タイマー７５を設置することによって，開閉が想定される設定時間の間に，操作スイッチ６を操作することなく，引戸３を開閉可能な状態に維持して使い勝手の良好のものとすることができ，また，圧力スイッチ７６を配置したことによって，僅かながらのエア漏れが生じる可能性が残ることによって，引戸３の開閉可能な状態が阻害されるのを防止して，タイマー設定時間中に密封気密材４を常に収縮状態として引戸３の開閉可能な状態を確実に維持することができる。
【００４０】
図示した例は以上のとおりとしたが，密封気密材を，収縮と膨出が可能な断面矩形，円形等適宜の形状のものとすることを含めて，本発明の実施に当って，窓開口枠，その気密材受溝，引戸，その框枠，密封気密材，吸引パイプ，真空吸引装置，操作スイッチ，必要に応じて用いる吸引パイプの対向開口部，エア吸引用電磁弁，エア供給用電磁弁，真空ポンプ，タイマー，圧力スイッチ等の各具体的構造，形状，材質，これらの関係，これらに対する付加等は，上記発明の要旨に反しない限り様々な形態のものとすることができる。
【図面の簡単な説明】
【００４１】
【図１】大型引戸装置の縦断面図である。
【図２】図１の上枠部分の拡大図である。
【図３】図１の下枠部分の拡大図である。
【図４】引戸と方立との関係を示す横断面図である。
【図５】引戸の召合部と方立との関係を示す横断面図である。
【図６】密封気密材と吸引パイプの関係を示す拡大断面図である。
【図７】エア吸引状態における真空吸引装置の系統図である。
【図８】タイマー作動時の微量なエア漏れの状態を示す真空吸引装置の系統図である。
【図９】エア供給状態における真空吸引装置の系統図である。
【図１０】エア供給後の状態における真空吸引装置の系統図である。
【図１１】真空吸引装置のボックス収納状態を示す平面図である。
【図１２】操作スイッチの側面図である。
【符号の説明】
【００４２】
Ａ  大型引戸装置
１  嵌殺し部
２  窓開口枠
２１  上枠
２２  下枠
２３  方立
２４  気密材受溝
２５  断熱材
３  引戸
３１  上框
３１１  ガイドローラー
３２  下框
３２１  戸車
３３  縦框
４  密封気密材
４１  嵌合基部
４２  拡開傾斜壁
４３  膨出面接壁
４４  密封中空部
５  吸引パイプ
５１  対向開口部
６  操作スイッチ
６１  開ボタン
６２  閉ボタン
６３  表示ランプ
６４  リード線
７  真空吸引装置
７１  エア供給用電磁弁
７２  エア吸引用電磁弁
７３  エアフィルター
７４  真空ポンプ
７５  タイマー
７６  圧力スイッチ
７７  制御回路部
７８  ボックス
８  ブラインド乃至網戸
８１  ガイドレール
８２  ブラインド軸
【図１】
2008308929.tif 000003
【図２】
2008308929.tif 000004
【図３】
2008308929.tif 000005
【図４】
2008308929.tif 000006
【図５】
2008308929.tif 000007
【図６】
2008308929.tif 000008
【図７】
2008308929.tif 000009
【図８】
2008308929.tif 000010
【図９】
2008308929.tif 000011
【図１０】
2008308929.tif 000012
【図１１】
2008308929.tif 000013
【図１２】
2008308929.tif 000014